(57)【要約】本発明は、次のものを含む組成物に関する：（ａ）次式（Ｉ）の少なくとも１種のＮ−メチル−Ｎ−アシルグルカミン：2017510707.tif 000011（式中、Ｒ１は、７〜２１個の炭素原子を有する直鎖又は分岐飽和又は不飽和ヒドロカルビル鎖である。）、（ｂ）次式（ＩＩ）の１種以上の有機酸及び／又はその塩：                          Ｒ２-ＣＯＯＭ      （ＩＩ）（式中、Ｒ２は、５〜２９個の炭素原子を有する直鎖若しくは分岐アルキル基又は直鎖若しくは分岐一若しくは多不飽和アルケニル基であり、Ｍは、水素又は１種以上の陽イオンであり、ここで、該陽イオンは電荷平衡量で存在する。）、及び（ｃ）次式（ＩＩＩ）の１種以上のアルカノールアミン：                        ＮＲ１Ｒ２Ｒ３        （ＩＩＩ）（式中、Ｒ１、Ｒ２及びＲ３は、水素、１〜４個の炭素原子を有する直鎖若しくは分岐アルキル基、５〜７個の炭素原子を有するシクロアルキル基、２〜５個の炭素原子及び１若しくは２個のヒドロキシル基を有する直鎖若しくは分岐ヒドロキシアルキル基、又は２〜６個の炭素原子を有するヒドロキシエーテル基であるが、ただし、これらの基の少なくとも一つは、ヒドロキシアルキル基又はヒドロキシエーテル基であるものとする。）。
2017510707.tif 000002
【特許請求の範囲】
【請求項１】
次のものを含む組成物：
（ａ）次式（Ｉ）の少なくとも１種のＮ−メチル−Ｎ−アシルグルカミン：
【化１】
2017510707.tif 000010
（式中、Ｒ１は、７〜２１個の炭素原子を有する直鎖又は分岐飽和又は不飽和ヒドロカルビル鎖である。）、
（ｂ）次式（ＩＩ）の１種以上の有機酸又はその塩：
Ｒ２-ＣＯＯＭ      （ＩＩ）
（式中、Ｒ２は、５〜２９個の炭素原子を有する直鎖若しくは分岐アルキル基又は直鎖若しくは分岐一不飽和若しくは多不飽和アルケニル基であり、
Ｍは、水素又は１種以上の陽イオンであり、ここで、該陽イオンは電荷平衡量で存在する。）、及び
（ｃ）次式（ＩＩＩ）の１種以上のアルカノールアミン：
ＮＲ１Ｒ２Ｒ３        （ＩＩＩ）
（式中、Ｒ１、Ｒ２及びＲ３は、水素、１〜４個の炭素原子を有する直鎖若しくは分岐アルキル基、５〜７個の炭素原子を有するシクロアルキル基、２〜５個の炭素原子及び１若しくは２個のヒドロキシル基を有する直鎖若しくは分岐ヒドロキシアルキル基、又は２〜６個の炭素原子を有するヒドロキシエーテル基であるが、ただし、これらの基の少なくとも一つは、ヒドロキシアルキル基又はヒドロキシエーテル基であるものとする。）。
【請求項２】
Ｒ１が１１〜１７個の炭素原子を有する直鎖又は分岐飽和又は不飽和ヒドロカルビル鎖である式（Ｉ）の少なくとも１種のＮ−メチル−Ｎ−アシルグルカミンを含む、請求項１に記載の組成物。
【請求項３】
前記式（Ｉ）の化合物がＮ−メチル−Ｎ−Ｃ１２−アシルグルカミンとＮ−メチル−Ｎ−Ｃ１４−アシルグルカミンとの混合物である、請求項１に記載の組成物。
【請求項４】
前記式（Ｉ）の化合物がＮ−メチル−Ｎ−Ｃ１６−アシルグルカミンとＮ−メチル−Ｎ−Ｃ１８−アシルグルカミンとの混合物である、請求項１に記載の組成物。
【請求項５】
Ｒ２が７〜２１個の炭素原子を有する前記式（ＩＩ）の１種以上の有機酸又はその塩を含む、請求項１〜４のいずれかに記載の組成物。
【請求項６】
Ｒ２が１１〜１７個の炭素原子を有する前記式（ＩＩ）の１種以上の有機酸又はその塩を含む、請求項５に記載の組成物。
【請求項７】
成分（ｂ）としてトール油脂肪酸、菜種油脂肪酸及び／又は大豆油脂肪酸又はそれらの塩を含む、請求項１〜４のいずれかに記載の組成物。
【請求項８】
成分（ｃ）を構成する前記アルカノールアミンがモノエタノールアミン、ジエタノールアミン、トリエタノールアミン、ジグリコールアミン、モノイソプロパノールアミン及び２−アミノ−２−メチル−１−プロパノールよりなる群から選択される、請求項１〜７のいずれかに記載の組成物。
【請求項９】
（ａ）前記式（Ｉ）の１種以上のメチルグルカミン１質量％〜５０質量％、
（ｂ）前記式（ＩＩ）の少なくとも１種の有機酸又はその塩０．１質量％〜２３質量％及び
（ｃ）前記式（ＩＩＩ）の少なくとも１種のアルカノールアミン０．０５質量％〜４２質量％
を含有する、請求項１〜８のいずれかに記載の組成物。
【請求項１０】
追加成分（ｄ）として、１種以上の乳化剤、１種以上の殺生物剤、１種以上の追加の腐食抑制剤、１種以上のＡＷ添加剤、１種以上のＥＰ添加剤、１種以上の消泡剤、１種以上の酸化防止剤、１種以上のカップリング剤、１種以上のアルカリ金属又はアルカリ土類金属、１種以上の可溶化剤、１種以上のｐＨ調整剤及び水から選択される１種以上の成分を含む、請求項１〜９のいずれかに記載の組成物。
【請求項１１】
１種以上の陰イオン性、非イオン性、陽イオン性又は両性乳化剤を、成分（ａ）〜（ｄ）からなる組成物に基づいて０．５％〜５０質量％の量で含む、請求項１〜１０のいずれかに記載の組成物。
【請求項１２】
ホウ酸、１，２−ベンズイソチアゾール−３−（２Ｈ）−オン（ＢＩＴ）、３（２Ｈ）−イソチアゾロン、２−メチルメタノール［１，２−エタンジイルビス（オキシ）ビス（グリオキサールモノエチレンアセタール）］、ナトリウム２−ピリジンチオン−１−オキシド（ナトリウムピリチオン）、１，３，５−トリアジン−１，３，５（２Ｈ，４Ｈ，６Ｈ）−トリエタノール、モルホリン、４，４’−メチレンビス（１Ｈ，３Ｈ，５Ｈ）オキサゾロ［３，４−ｃ］オキサゾール、５−エチル−３，７−ジオキサ−１−アザビシクロ［３．３．０］オクタン、３−ヨード−２−プロピニルブチルカルバメート（ＩＰＢＣ）よりなる群から選択される１種以上の殺生物剤を０．００１質量％〜５質量％含む、請求項１〜１１のいずれかに記載の組成物。
【請求項１３】
ＭがＬｉ＋、Ｎａ＋、Ｋ＋、Ｍｇ＋＋、Ｃａ＋＋、Ａｌ＋＋＋、ＮＨ４＋、モノアルキルアンモニウム、ジアルキルアンモニウム、トリアルキルアンモニウム及び／又はテトラアルキルアンモニウムイオンから選択され、これらのアンモニウムイオンのアルキル置換基がそれぞれ独立に（Ｃ１〜Ｃ２２）アルキル基である、請求項１〜１２のいずれかに記載の組成物。
【請求項１４】
前記アルキル置換基が３個までの（Ｃ２〜Ｃ１０）ヒドロキシアルキル基を有する、請求項１３に記載の組成物。
【請求項１５】
Ｒ１がアルキル又はアルケニル基である、請求項１〜１４のいずれかに記載の組成物。
【請求項１６】
ｐＨが７〜１２の間である、請求項１〜１５のいずれかに記載の組成物。
【請求項１７】
請求項１〜１６のいずれかに記載の組成物を５質量％〜４０質量％及び１種以上の油を６０質量％〜９５質量％含むエマルジョン濃縮物。
【請求項１８】
前記油が４０℃で測定された５〜１０００ｍｍ２／ｓの動粘度を有する鉱油、パラフィン、イソパラフィン、シクロパラフィン、芳香族炭化水素、ポリα−オレフィン、ポリアルキレングリコール（ＰＡＧ）及びエステル油から選択される、請求項１７に記載のエマルジョン濃縮物。
【発明の詳細な説明】
【技術分野】
【０００１】
本発明は、Ｎ−メチル−Ｎ−アシルグルカミンと、脂肪酸又はそれらの塩と、アルカノールアミンとの組成物及びその腐食抑制剤としての使用に関する。
【背景技術】
【０００２】
様々な用途、例えば、水性金属処理及び金属加工流体、特に防食剤、洗剤及び冷却潤滑剤エマルジョンを製造するために、腐食抑制効果を有する組成物が求められている。腐食抑制剤は、金属部品を処理加工する産業段階中に、金属、例えば鉄、アルミニウム、亜鉛、銅又はそれらの合金を腐食から保護し、かつ、錆の発生を防止することを目的とするものである。
【０００３】
無機及び有機化合物の多くが水溶性腐食抑制剤として知られている。無機腐食抑制剤は、例えば、クロム酸塩、亜硝酸塩又はリン酸塩をベースとする場合があるが、これらのものは毒物学的及び環境上の理由から、多かれ少なかれ不利である。有機腐食抑制剤は、カルボン酸塩、アミン、アミド又は窒素含有複素環式化合物をベースとする場合が多い。
【０００４】
ポリヒドロキシ脂肪酸アミド並びにその洗浄用及び清浄用組成物における非イオン性界面活性剤としての使用が多数の明細書に記載されている。
【０００５】
ＷＯ９４／１２６０９号には、特に繊維製品又は陶器上の油汚れに対する良好な洗浄作用を有するポリヒドロキシ脂肪酸アミドを含む洗浄用及び清浄用組成物が教示されている。
【０００６】
ＷＯ９８／４１６０１号には、調理器具上における脂ぎった油性の汚れを除去しかつ非腐食性である、ポリヒドロキシ脂肪酸アミドを含む洗浄用組成物が教示されている。
【０００７】
ＷＯ９５／２３８４０号には、良好な着色防止を特徴とする、ポリヒドロキシ脂肪酸アミドを含む洗浄用組成物が教示されている。
【０００８】
ＥＰ０７４５７１９には、ポリヒドロキシ脂肪酸アミドを含む炭水化物化合物を、繊維材料を繊維反応性染料で着色又は印刷するための補助剤として使用することが記載されている。
【先行技術文献】
【特許文献】
【０００９】
【特許文献１】国際公開第９４／１２６０９号パンフレット
【特許文献２】国際公開第９８／４１６０１号パンフレット
【特許文献３】国際公開第９５／２３８４０号パンフレット
【特許文献４】欧州特許第０７４５７１９号明細書
【発明の概要】
【発明が解決しようとする課題】
【００１０】
特に環境適合性に関して既知の腐食抑制剤よりも優れ、かつ、非常に良好な腐食抑制作用を示す水溶性腐食抑制剤を提供することが本発明の目的であった。
【００１１】
驚くべきことに、少なくとも１種のＮ−メチル−Ｎ−アシルグルカミンと、１種以上の有機酸と、１種以上のアルカノールアミンとを含む組成物は、金属表面への有意な腐食抑制作用を示し、さらに良好な環境適合性及び安全な使用を示すことが分かった。
【課題を解決するための手段】
【００１２】
したがって、本発明は、次のものを含む組成物を提供する：
（ａ）次式（Ｉ）の少なくとも１種のＮ−メチル−Ｎ−アシルグルカミン：
【化１】
2017510707.tif 000003
（式中、Ｒ１は、７〜２１個の炭素原子を有する直鎖又は分岐飽和又は不飽和ヒドロカルビル鎖である。）、
（ｂ）次式（ＩＩ）の１種以上の有機酸又はその塩：
Ｒ２-ＣＯＯＭ      （ＩＩ）
（式中、Ｒ２は、５〜２９個の炭素原子を有する直鎖若しくは分岐アルキル基又は直鎖若しくは分岐一飽和若しくは多不飽和アルケニル基であり、
Ｍは、水素又は１種以上の陽イオンであり、ここで、該陽イオンは電荷平衡量で存在する。）、及び
（ｃ）次式（ＩＩＩ）の１種以上のアルカノールアミン：
ＮＲ１Ｒ２Ｒ３        （ＩＩＩ）
（式中、Ｒ１、Ｒ２及びＲ３は、水素、１〜４個の炭素原子を有する直鎖若しくは分岐アルキル基、５〜７個の炭素原子を有するシクロアルキル基、２〜５個の炭素原子及び１若しくは２個のヒドロキシル基を有する直鎖若しくは分岐ヒドロキシアルキル基、又は２〜６個の炭素原子を有するヒドロキシエーテル基であるが、ただし、これらの基の少なくとも一つは、ヒドロキシアルキル基又はヒドロキシエーテル基であるものとする。）。
【００１３】
Ｎ−メチル−Ｎ−アシルグルカミンについてのさらなる名称は、Ｎ−メチル−Ｎ−１−デオキシソルビトール脂肪酸アミド、Ｎ−アシル−Ｎ−メチルグルカミン、グルカミド又はＮ−メチル−Ｎ−アルキルグルカミドである。
【００１４】
好ましくは、Ｍは、Ｌｉ＋、Ｎａ＋、Ｋ＋、Ｍｇ＋＋、Ｃａ＋＋、Ａｌ＋＋＋、ＮＨ４＋、モノアルキルアンモニウム、ジアルキルアンモニウム、トリアルキルアンモニウム及び／又はテトラアルキルアンモニウムイオンである。アンモニウムイオンのアルキル置換基は、それぞれ独立して、３個までの（Ｃ２〜Ｃ１０）ヒドロキシアルキル基を有していてよい（Ｃ１〜Ｃ２２）アルキル基である。
【００１５】
本発明の組成物は、金属表面を腐食から保護するのに有効であり、界面活性であり、しかも金属処理及び金属加工流体のための水性濃縮物を配合するのに不可欠な高い水溶性を有する。
【００１６】
さらに、本発明は、本発明の組成物の、水で希釈することによりすぐに使用できる腐食防止、洗浄剤及び冷却潤滑剤エマルジョンを与える油水混和性エマルジョン濃縮物を製造するための使用を提供する。
【００１７】
さらに、本発明は、本発明の組成物の、腐食防止組成物、金属用洗剤及び冷却潤滑剤エマルジョンの成分としての使用を提供する。
【００１８】
さらに、本発明は、金属表面と本発明の組成物とを接触させることによって、金属表面上の腐食の形成を防止又は低減させる方法を提供する。
【発明を実施するための形態】
【００１９】
本発明の好ましい実施形態では、Ｒ１は、１１〜１７個の炭素原子を有する直鎖又は分岐の飽和又は不飽和ヒドロカルビル基である。特に、Ｒ１は、直鎖又は分岐アルキル又はアルケニル基である。より好ましくは、Ｒ１は、直鎖飽和又は不飽和Ｃ１１、Ｃ１３、Ｃ１５又はＣ１７基、特に不飽和Ｃ１７基である。
【００２０】
本発明の特に好ましい実施形態は、少なくとも２〜６種の異なるＮ−メチル−Ｎ−アシルグルカミンを含む組成物であり、ここで、２〜６種の異なるＮ−メチル−Ｎ−アシルグルカミンは異なるアシル基（−ＣＯＲ１）を有する。
【００２１】
本発明の特に好ましい実施形態は、成分（ａ）の少なくとも８０質量％がＮ−メチル−Ｎ−Ｃ１２アシルグルカミンとＮ−メチル−Ｎ−Ｃ１４アシルグルカミンとの混合物である組成物である。
【００２２】
本発明の同様に特に好ましい実施形態は、成分（ａ）の少なくとも８０質量％がＮ−メチル−Ｎ−Ｃ１６−アシルグルカミンとＮ−メチル−Ｎ−Ｃ１８−アシルグルカミンとの混合物である組成物である。
【００２３】
式（Ｉ）のＮ−アシル−Ｎ−メチルグルカミンは、対応する脂肪酸メチルエステル及びＮ−メチルグルカミンからＥＰ０５５０６３７号に記載された方法で製造できる。脂肪酸メチルエステルの脂肪酸は、好ましくは、９−オクタデセン酸（オレイン酸）、オクタデカ−９，１２−ジエン酸（リノール酸）、オクタン酸（カプリル酸）、デカン酸（カプリン酸）、ドデカン酸（ラウリン酸）、テトラデカン酸（ミリスチン酸）、ヘキサデカン酸（パルミチン酸）、オクタデカン酸（ステアリン酸）及びｎ−ドコサン酸（ベヘン酸）よりなる群から選択される。
【００２４】
本発明のさらに好ましい実施形態では、Ｒ２は、７〜２１、特に１１〜１７個の炭素原子を有する直鎖若しくは分岐飽和アルキル基又は一不飽和若しくは多不飽和アルケニル基である。
【００２５】
成分（ｂ）は、好ましくは、カプリル酸、ペラルゴン酸、カプリン酸、ラウリン酸、ミリスチン酸、パルミチン酸、マルガリン酸、ステアリン酸、アラキン酸、ベヘン酸、リグノセリン酸、セロチン酸、モンタン酸、メリシン酸、ウンデシレン酸、ミリストレイン酸、パルミトレイン酸、ペトロセリン酸、オレイン酸、エライジン酸、バクセン酸、ガドレイン酸、エイコセン酸、セトレイン酸、（水素化）エルカ酸、ネルボン酸、リノール酸、α−リノレン酸、γ−リノレン酸、カレンジン酸、プニカ酸、α−エレオステアリン酸、β−エレオステアリン酸、アラキドン酸、エイコサペンタエン酸、クルパノドン酸、ドコサヘキサエン酸、ベルノリン酸、リシノール酸及びそれらの塩から選択される。特に好ましいのは、特にヤシ油、パーム核油、オリーブ油及びトール油（ＴＯＦＡ）又は獣脂の脂肪酸及びそれらの塩である。Ｌｉ＋、Ｎａ＋、Ｋ＋、Ｍｇ＋＋、Ｃａ＋＋、Ａｌ＋＋＋及び／又はＮＨ４＋塩の形態の脂肪酸塩を使用することが好ましい。同様に、モノアルキルアンモニウム塩、ジアルキルアンモニウム塩、トリアルキルアンモニウム塩及び／又はテトラアルキルアンモニウム塩が好ましく、ここで、これらのアミンのアルキル置換基は、それぞれ独立して、３個までの（Ｃ２〜Ｃ１０）ヒドロキシ基によって占められていてよい（Ｃ１〜Ｃ２２）アルキル基であることができる。
【００２６】
特に、式（Ｉ）のＮ−アシル−Ｎ−メチルグルカミンと、トール油脂肪酸（ＴＯＦＡ）及び／又はヤシ脂肪酸（ＣＣ）又はそれらの塩と、少なくとも１種のアルカノールアミンとを含む組成物が好ましい。ＲＯＥＭＰＰに記載されているようなトール油脂肪酸（ＴＯＦＡ）（オンラインＩＤ＝ＲＤ−２０−００１４９）は、主として一不飽和、二不飽和及び三不飽和Ｃ１８炭素鎖を有する式（ＩＩ）のモノカルボン酸である。ヤシ脂肪酸は、主としてＣ８〜Ｃ１８脂肪酸、主にカプリル酸、ラウリン酸、カプリン酸、パルミチン酸、ステアリン酸、ミリスチン酸及びオレイン酸から構成される。
【００２７】
本発明の組成物の成分（ｃ）を形成するアルカノールアミンは、好ましくは、モノエタノールアミンＨＯＣＨ２ＣＨ２ＮＨ２、ジエタノールアミン（ＨＯＣＨ２ＣＨ２）２ＮＨ、トリエタノールアミン（ＨＯＣＨ２ＣＨ２）３Ｎ、モノイソプロパノールアミンＣＨ３ＣＨＯＨＣＨ２ＮＨ２、２−アミノ−２−メチル−１−プロパノールＨＯＣＨ２Ｃ（ＣＨ３）２ＮＨ２、２−アミノ−１−ブタノールＣＨ３ＣＨ２ＣＨＮＨ２ＣＨ２ＯＨ、ジグリコールアミンＨＯＣＨ２−ＣＨ２ＯＣＨ２ＣＨ２ＮＨ２、メチルエタノールアミンＨＯＣＨ２ＣＨ２Ｎ（ＣＨ３）Ｈ、ジメチルエタノールアミンＨＯＣＨ２ＣＨ２Ｎ（ＣＨ３）２、メチルジエタノールアミン（ＨＯＣＨ２ＣＨ２）２ＮＣＨ３、エチルアミノエタノールＨＯＣＨ２ＣＨ２Ｎ（Ｈ）（ＣＨ２ＣＨ３）、ジエチルアミノエタノールＨＯＣＨ２ＣＨ２Ｎ（ＣＨ２ＣＨ３）２、２−アミノ−２−エチルプロパン−１，３−ジオールＨＯＣＨ２Ｃ（Ｃ２Ｈ５）ＮＨ２ＣＨ２ＯＨ、ジメチルアミノ−２−プロパノールＣＨ３ＣＨＯＨＣＨ２Ｎ（ＣＨ３）２、イソプロピルアミノエタノールＨＯＣＨ２ＣＨ２Ｎ（Ｈ）（ＣＨ（ＣＨ３）２）、イソプロピルアミノジエタノール（ＨＯＣＨ２ＣＨ２）２Ｎ（ＣＨ（ＣＨ３）２）、ジイソプロピルアミノエタノールＨＯＣＨ２ＣＨ２Ｎ（ＣＨ（ＣＨ３）２）２、ｎ−ブチルアミノエタノールＨＯＣＨ２ＣＨ２Ｎ（Ｈ）（（ＣＨ２）３ＣＨ３）、ジブチルアミノエタノールＨＯＣＨ２ＣＨ２Ｎ（（（ＣＨ２）３ＣＨ３）２、ｎ−ブチルジエタノールアミン（ＨＯＣＨ２ＣＨ２Ｎ（（（ＣＨ２）３ＣＨ３）２、ｔ−ブチルエタノールＨＯＣＨ２ＣＨ２ＮＨＣＣＨ３）３及びＮ−シクロヘキシルジエタノールアミン（ＨＯＣＨ２ＣＨ２）２Ｎ（Ｃ６Ｈ１１）から選択される。
【００２８】
より好ましくは、組成物は、モノエタノールアミン、ジエタノールアミン、トリエタノールアミン、ジグリコールアミン、モノイソプロパノールアミン及び２−アミノ−２−メチル−１−プロパノール及びそれらの混合物から選択される少なくとも１種のアルカノールアミンを含む。
【００２９】
特に好ましい組成物は、
（ａ）式（Ｉ）の１種以上のメチルグルカミン１質量％〜５０質量％、
（ｂ）式（ＩＩ）の少なくとも１種の有機酸又はその塩０．１質量％〜２３質量％及び
（ｃ）式（ＩＩＩ）の少なくとも１種のアルカノールアミン０．０５質量％〜４２質量％
を含むものである。
【００３０】
特に好ましい組成物は、
（ａ）式（Ｉ）の１種以上のメチルグルカミン２質量％〜２０質量％、
（ｂ）式（ＩＩ）の少なくとも１種の有機酸又はその塩０．５質量％〜１５質量％及び
（ｃ）少なくとも１種のアルカノールアミン０．１質量％〜３０質量％
を含むものである。
【００３１】
さらに好ましい実施形態では、上記特定の組成物は、成分（ｄ）として追加成分を１００％まで含む。
【００３２】
追加成分（ｄ）として、組成物は、好ましくは、１種以上の乳化剤、１種以上の殺生物剤、１種以上の追加の腐食抑制剤、１種以上のＡＷ添加剤、１種以上のＥＰ添加剤、１種以上の消泡剤、１種以上の酸化防止剤、１種以上のカップリング剤、１種以上のアルカリ金属又はアルカリ土類金属、１種以上の可溶化剤、ｐＨ調整剤、及び水を含むことができる。
【００３３】
これらの組成物は、好ましくは、陰イオン性、非イオン性、陽イオン性及び両性乳化剤から選択される乳化剤を含む。好ましくは、組成物は、陰イオン性及び／又は非イオン性乳化剤を含む。
【００３４】
有用な陰イオン性乳化剤としては、次のものが挙げられる：
・スルホネート、特に石油スルホネート、オレフィンスルホネート、すなわちアルカンスルホネートとヒドロキシアルカンスルホネートとの混合物及び例えば末端又は内部二重結合を有するＣ１２〜Ｃ１８−モノオレフィンから、気体三酸化硫黄によるスルホン化、その後該スルホン化生成物のアルカリ性又は酸性加水分化により得られるようなジスルホネート、Ｃ１２〜Ｃ１８−アルカンスルホネート、第二級アルカンスルホネート、Ｃ９〜Ｃ１３アルキルベンゼンスルホネート、α−ナフチルスルホネート、及び［α］−スルホ脂肪酸のエステル（エステルスルホネート）、例えば水素化ヤシ、パーム核又は獣脂脂肪酸の［α］−スルホン化メチルエステル、
・スルフェート、特にアルキル（アルケニル）スルフェート、例えばＣ１２〜Ｃ１８脂肪アルコール、例えばヤシ脂肪アルコール、獣脂脂肪アルコール、ラウリル、ミリスチル、セチル若しくはステアリルアルコール又はＣ１０〜Ｃ２０オキソ法アルコールの硫酸モノエステルのアルカリ金属、特にナトリウム塩、また、アルキル（アルケニル）エーテルスルフェート、好ましくは１〜６モルのエチレンオキシドでエトキシル化された直鎖又は分岐Ｃ７〜Ｃ２１アルコール、例えば２−メチル−分岐Ｃ９〜Ｃ１１アルコールの硫酸モノエステル、
・カルボキシレート、例えば脂肪酸石鹸、特にラウリン酸、ミリスチン酸、パルミチン酸、ステアリン酸、（水素化）エルカ酸及びベヘン酸の塩、特に天然脂肪酸、例えばヤシ、パーム核、オリーブ油又は獣脂脂肪酸から誘導される石鹸混合物、ナフテン酸石鹸、
・次式（ＩＶ）のアルキルエーテルカルボキシレート：
ＲＯ−（ＣＨ２ＣＨ２Ｏ−）ｎＣＨ２−ＣＯＯＭ        （ＩＶ）
（式中、
Ｒは、飽和又は１個以上の二重結合により不飽和でかつ８〜２２個の炭素原子を有する直鎖又は分岐炭化水素基であり、
ｎは１〜２０の数であり、
Ｍは対イオンである。）、
・アルケニルイミドコハク酸カルボキシレート
・脂肪酸アミド
・リン酸エステル、アルコキシル化リン酸エステル。
【００３５】
陰イオン性乳化剤は、それらのナトリウム、カリウム若しくはマグネシウム又はアンモニウム塩の形態で存在することができる。
【００３６】
組成物は、１種以上の陰イオン性乳化剤を、成分（ａ）〜（ｄ）からなる組成物に基づいて０質量％〜５０質量％、好ましくは０．５質量％〜４０質量％、より好ましくは１．０質量％〜３０質量％の量で含むことができる。
【００３７】
有用な非イオン性乳化剤としては、次のものが挙げられる：
・アルコキシル化脂肪アルコール、有利にはエトキシル化されたもの、特に好ましくは８〜１８個の炭素原子及びアルコール１モル当たり平均１〜１２モルのエチレンオキシド（ＥＯ）を有する第一級アルコールであり、ここで、そのアルコール残基は、Ｇにおける直鎖若しくは好ましくは２−メチル分岐又は直鎖及びメチル分岐基であることができる。好ましいエトキシル化アルコールとしては、例えば、３ＥＯ、４ＥＯ又は７ＥＯを有するＣ１２〜Ｃ１４アルコール、７ＥＯを有するＣ９〜Ｃ１１アルコール、３ＥＯ、５ＥＯ、７ＥＯ又は８ＥＯを有するＣ１３〜Ｃ１５アルコール、３ＥＯ、５ＥＯ又は７ＥＯを有するＣ１２〜Ｃ１８アルコール及びこれらの混合物、例えば３ＥＯを有するＣ１２〜Ｃ１４アルコールと７ＥＯを有するＣ１２〜Ｃ１８アルコールとの混合物が挙げられ、典型的にはオキソ法アルコール基中に存在するときには混合物が含まれる。
・１〜１００個のアルコキシ基を有するアルコキシル化Ｃ８〜Ｃ２２脂肪酸のメチルエステル、ここで、該アルコキシ基は、ＣＨ２ＣＨ２Ｏ、Ｃ３Ｈ６Ｏ及びＣ４Ｈ８Ｏから選択される１個の単位又は異なる単位からなることができる。
・次式（Ｖ）の酸脂肪酸アミド
【化２】
2017510707.tif 000004
（式中、
Ｒは７〜２１個、好ましくは９〜１７個の炭素原子を有するアルキル基であり、
それぞれのＲ１基は水素、Ｃ１〜Ｃ４アルキル、Ｃ１〜Ｃ４ヒドロキシアルキル又は（Ｃ２Ｈ４Ｏ）ｘＨ（ここでｘは１、２又は３である。）である。）。
Ｃ８〜Ｃ２０アミド、モノエタノールアミド、ジエタノールアミド及びイソプロパノールアミドが好ましい。
・アルキルフェノールポリグリコールエーテル、好ましくは直鎖又は分岐であってよいＣ６〜Ｃ２０アルキル基を有するアルキルフェノールとアルキレンオキシドとの縮合生成物。
・次式（ＶＩ）のアミン酸化物：
【化３】
2017510707.tif 000005
（式中、
Ｒは８〜２２個の炭素原子の鎖長を有するアルキル、ヒドロキシアルキル又はアルキルフェノール基であり、
Ｒ２は２〜３個の炭素原子を有するアルキレン若しくはヒドロキシアルキレン基又はそれらの混合物であり、
それぞれのＲ１基は１〜３個の炭素原子を有するアルキル若しくはヒドロキシアルキル基又は１〜３個のエチレンオキシド単位を有するポリエチレンオキシド基であり、
ｘは０〜１０の数である。）。
・次式（ＶＩＩ）のアルキルポリグリコシド：
【化４】
2017510707.tif 000006
（式中、Ｒは、８〜２２個、好ましくは１２〜１８個の炭素原子を有する第一級直鎖又はメチル分岐、特に２−メチル分岐の脂肪族基であり、ｍは１〜５である。）。
【００３８】
該組成物は、１種以上の非イオン性乳化剤を、成分（ａ）〜（ｄ）からなる組成物に基づいて０質量％〜５０質量％、好ましくは０．５質量％〜３０質量％、より好ましくは１．０質量％〜２０質量％の量で含むことができる。
【００３９】
該組成物は、１種以上の陰イオン性、非イオン性、陽イオン性及び両性乳化剤を、成分（ａ）〜（ｄ）からなる組成物に基づいて０質量％〜５０質量％、好ましくは０．５質量％〜４０質量％、より好ましくは１．０質量％〜３５質量％の量で含むことができる。
【００４０】
水性金属処理及び金属加工流体は、微生物にとって理想的な生息場所である。水性媒体中において、好ましい温度では、栄養素の供給過剰が存在する。微生物の増殖が阻害されないと、個々の成分が分解され、ｐＨ値が変化し、その結果、エマルジョンが不安定化する。さらに、生物学的物質の堆積物が浴中における冷却潤滑剤寿命の短縮をもたらす可能性がある。殺生物剤の効果は、細菌、酵母及び真菌を死滅させることである。
【００４１】
したがって、本発明の好ましい実施形態は、式（Ｉ）のＮ−メチル−Ｎ−アシルグルカミン、１種以上の脂肪酸又はそれらの塩、１種以上のアルカノールアミン及び少なくとも１種又は１種を超える殺生物剤を含む組成物である。
【００４２】
殺生物剤は次のものから選択できる：
Ｎ−（３−アミノプロピル）−Ｎ−ドデシルプロパン−１，３−ジアミン、１−アザ−３，７−ジオキサ−５−エチルビシクロ［３．３．０］オクタン、５−エチル−３，７−ジオキサ−１−アザビシクロ［３．３．０］オクタン
１，２−ベンズイソチアゾール−３（２Ｈ）−オン（ＢＩＴ）
ベンジルアルコールモノ（ポリ）ヘミホルマル（（ベンジルオキシ）メタノール）
ビフェニル−２−オール（２−フェニルフェノール）
１，３−ビス（ヒドロキシメチル）−５，５−ジメチルイミダゾリジン−２，４−ジオン（１，３−ジメチロール−５，５−ジメチルヒダントイン、ＤＭＤＭＨ）
ビスモルホリノメタン、４，４’−メチレンビスモルホリン
２−ブチルベンゾ［ｄ］イソチアゾール−３−オン（ＢＢＩＴ）
ｃｉｓ−１−（３−クロロアリル）−３，５，７−トリアザ−１−アゾニアアダマンタンクロリド（ｃｉｓ−ＣＴＡＣ）
ｐ−クロロ−ｍ−クレゾール（４−クロロ−３−メチルフェノール、クロロクレゾール）
５−クロロ−２−メチル−２，３−ジヒドロイソチアゾール−３−オン／２−メチル−２，３−ジヒドロイソチアゾール−３−オン（３（２Ｈ）−イソチアゾロン、５−クロロ−２−メチル、２−メチル−３（２Ｈ）−イソチアゾロンとの混合物）（ＣＭＩ／ＭＩ、ＣＭＩＴ／ＭＩＴ）
Ｎ−シクロヘキシルヒドロキシジアゼン１−オキシドカリウム塩（Ｎ−シクロヘキシル−Ｎ−ニトロソヒドロキシルアミンカリウム塩、（Ｎ−シクロヘキシルジアゼニウムジオキシ）カリウム、Ｋ−ＨＤＯ）
２，２−ジブロモ−２−シアナセタミド（２，２−ジブロモ−３−ニトリロプロピオンアミド、ＤＢＮＰＡ）
１，６−ジヒドロキシ−２，５−ジオキサヘキサン（（エチレンジオキシ）ジメタノール）
４，４’−ジメチルオキサゾリジン
１，３−ジメチロール−５，５−ジメチルヒダントイン；１，３−ビス（ヒドロキシメチル）−５，５−ジメチル−イミダゾリジン−２，４−ジオン参照
５−エチル−３，７−ジオキサ−１−アザビシクロ［３．３．０］オクタン（７ａ−エチルジヒドロ−１Ｈ，３Ｈ，５Ｈ−オキサゾロ−［３，４−ｃ］−オキサゾール、１−アザ−３，７−ジオキサ−５−エチルビシクロ［３．３．０］オクタン）（ＥＤＨＯ）
（エチレンジオキシ）ジメタノール、１，６−ジヒドロキシ−２，５−ジオキサヘキサン
グルタルアルデヒド（グルタラール）
（２，２’，２”−（ヘキサヒドロ−１，３，５−トリアジン−１，３，５−トリイル）トリエタノール）；１，３，５−トリス（２−ヒドロキシエチル）ヘキサヒドロ−１，３，５−トリアジン参照
ヘキサメチレンテトラミン−３−クロロアリルクロリド（メテナミン−３−クロロアリルクロリド、（１，３，５，７−テトラアザ−１−（３−クロロ−２−プロペニル）トリシクロ［３．３．１．１｜＜３，７＞デカンクロリド、ＣＴＡＣ
３−ヨード−２−プロピニルブチルカルバメート（ＩＰＢＣ）
メテナミン−３−クロロアリルクロリド、ヘキサメチレンテトラミン−３−クロロアリルクロリド
２−メチル−２，３−ジヒドロイソチアゾール−３−オン（２−メチル−２Ｈ−イソチアゾール−３−オン、ＭＩ、ＭＩＴ）
３，３’−メチレンビス（５−メチルオキサゾリジン）（ＭＢＯ）
４，４’−メチレンビスモルホリン（Ｎ，Ｎ’−メチレンビスモルホリン、メチレンビス−（テトラヒドロ−１，４−オキサジン）、ビスモルホリノメタン）
ナトリウムピリチオン、ピリジン−２−チオール１−オキシドナトリウム塩
２−ｎ−オクチル−２，３−ジヒドロイソチアゾール−３−オン（２−オクチル−２Ｈ−イソチアゾール−３−オン）（ＯＩＴ、「オクチリノン」）
４−（２−ニトロブチル）モルホリン
２−フェノキシエタノール
２−フェニルフェノール、ビフェニル−２−オール
ピリジン−２−チオール１−オキシドナトリウム塩（「ナトリウムピリチオン」）
１，３，５，７−テトラアザ−１−（３−クロロ−２−プロペニル）トリシクロ［３．３．１．１＜３，７＞］デカンクロリド、ヘキサメチレンテトラミン−３−クロロアリルクロリド
１，３，４，６−テトラ（ヒドロキシメチル）−［３ａＨ，６ａＨ］−１，３，４，６−テトラアザビシクロオクタン−２，５−ジオン（テトラヒドロ−１，３，４，６−テトラキス（ヒドロキシメチル）イミダゾ［４，５−ｄ］イミダゾール−２，５（１Ｈ，３Ｈ）−ジオン、ＴＭＡＤ）
１，３，５−トリス（２−ヒドロキシエチル）ヘキサヒドロ−１，３，５−トリアジン（２，２’，２”−（ヘキサヒドロ−１，３，５−トリアジン−１，３，５−トリイル）トリエタノール、ＨＨＴ）
１，３，５−トリス（２−ヒドロキシプロピル）ヘキサヒドロ−１，３，５−トリアジン（ａ，ａ’，ａ”−トリメチル−１，３，５−トリアジン−１，３，５（２Ｈ，４Ｈ，６Ｈ）−トリエタノール）
６−アセトキシ−２，４−ジメチル−ｍ−ジオキサン-２，６−ジメチル−１，３−ジオキサン−４−イルアセテート
アルキル（Ｃ１２〜Ｃ１４）［（エチルフェニル）メチル］ジメチルアンモニウムクロリド（化学量論的）
Ｎ−アルキル（Ｃ１０〜Ｃ１６）トリメチレンジアミン及びクロロ酢酸との反応生成物
１−［２−（アリルオキシ）−２−（２，４−ジクロロフェニル）エチル］−１Ｈ−イミダゾール（「イマザリル」）
（＋／−）１−［２−（β−アリルオキシ）−２−（２，４−ジクロロフェニル）エチル］−１Ｈ−イミダゾール（「工業等級イマザリル」）
アルミニウムナトリウムシリケート−銀錯体／銀ゼオライト
ギ酸
Ｂａｒｄａｐ２６、ポリ（オキシ−１，２−エタンジイル）−ａ−［２−（ジデシルメチルアンモニウム）エチル］−ｗ−ヒドロキシプロピオネート
ベンゾチアゾール−２−チオール
（ベンゾチアゾール−２−イルチオ）メチルチオシアネート（「ＴＣＭＴＢ」）
３−ベンゾ（ｂ）チエン−２−イル−５，６−ジヒドロ−１，４，２−オキサチアジン４−オキシド（「ベトキサジン」）
ベンジルアルキル（Ｃ１２〜Ｃ１４）ジメチルアンモニウムクロリド
ベンジルアルキル（Ｃ１２〜Ｃ１６）ジメチルアンモニウムクロリド
ベンジルアルキル（Ｃ１２〜Ｃ１８）ジメチルアンモニウムクロリド
ベンジルアルキル（Ｃ１２〜Ｃ１８飽和及び不飽和獣脂アルキル、ココアルキル、大豆アルキル）ジメチルアンモニウムクロリド、ブロミド又はヒドロキシド
ベトキサジン、３−ベンゾ（ｂ）チエン−２−イル−５，６−ジヒドロ−１，４，２−オキサチアジン４−オキシド
ビス（３−アミノプロピル）オクチルアミン
１，３−ビス（ヒドロキシメチル）尿素（１，３−ジメチロール尿素）
１，３−ビス（ヒドロキシメチル）尿素、２−（２−ブトキシエトキシ）エタノール、エチレングリコール及びホルムアルデヒドとの反応生成物（「ホルムアルデヒドデポアルファ」）
ＢＫＣ、ベンジルアルキルジメチルアンモニウムクロリド、ブロミド又はヒドロキシド
２−ブロモ−２−（ブロモメチル）ペンタンジニトリル、１，２−ジブロモ−２，４−ジシアノブタン
４−ブロモ−２−（４−クロロフェニル）−１−（エトキシメチル）−５−（トリフルオロメチル）−１Ｈ−ピロール−３−カルボニトリル（「クロルフェナピル」）
１，３−ブロモクロロ−５，５−ジメチルイミダゾリジン−２，４−ジオン（ブロモクロロ−５，５−ジメチルヒダントイン）
２−ブロモ−２−ニトロプロパン−１，３−ジオール（「ブロノポール」）
（２−ブロモ−２−ニトロビニル）ベンゼン
メタクリル酸２−ｔ−ブチルアミノエチル、単独重合体
ｃｉｓ−４−［３−（ｐ−ｔ−ブチルフェニル）−２−メチルプロピル］−２，６−ジメチルモルホリン（「フェンプロピモルフ」）
カルベンダジム、２−（メトキシカルボニルアミノ）ベンズイミダゾール
［２−［［２−［（２−カルボキシエチル）（２−ヒドロキシエチル）アミノ］エチル）アミノ］−２−オキソエチル］ココアルキルジメチルアンモニウムヒドロキシド、分子内塩（第四級アンモニウム化合物）
２−クロロアセトアミド
３−（３−クロロ−４−メチルフェニル）−１，１−ジメチル尿素（「クロロトルロン」）
クロルフェナピル、４−ブロモ−２−（４−クロロフェニル）−１−（エトキシメチル）−５−（トリフルオロメチル）−１Ｈ−ピロール−３−カルボニトリル
ＤＤＡＣ、ジアルキルジメチルアンモニウムクロリド、ブロミド又はメチルスルフェート
ジアルキル（Ｃ８〜Ｃ１０）ジメチルアンモニウムクロリド
ジアルキル（Ｃ６〜Ｃ１８飽和及び不飽和獣脂アルキル、ココアルキル、大豆アルキル）−ジメチルアンモニウムクロリド、ブロミド又はメチルスルフェート（ＤＤＡＣ）
１，２−ジブロモ−２，４−ジシアノブタン（２−ブロモ−２−（ブロモメチル）ペンタンジニトリル）
２，４−ジクロロベンジルアルコール（２，４−ジクロロフェニルメタノール）
ジクロロフェン、２，２’−メチレンビス（４−クロロフェノール）フェノール
１−［［２−（２，４−ジクロロフェニル）−４−プロピル−１，３−ジオキソラン−２−イル］メチル］−１Ｈ−１，２，４−トリアゾール（「プロピコナゾール」）
ジデシルジメチルアンモニウムクロリド
Ｎ−ジデシル−Ｎ−ジポリエトキシアンモニウムボレート／ジデシルポリオキシエチルアンモニウムボレート（ＣＡＳ：ホウ酸、Ｎ−デシル−１−デカンアミン、オキシラン（エチレンオキシド）及びプロパン−１，２−ジオールとの重合体）
１，３−ジデシル−２−メチル−１Ｈ−イミダゾリウムクロリド
ｐ−［ジ（ヨードメチル）スルホニル］トルエン
Ｎ２，Ｎ４−ジイソプロピル−６−メチルチオ−１，３，５−トリアジン−２，４−ジアミン（「プロメトリン」）
二亜硫酸二カリウム
２，６−ジメチル−１，３−ジオキサン−４−イルアセテート（６−アセトキシ−２，４−ジメチル−ｍ−ジオキサン）
１，３−ジメチロール尿素、１，３−ビス（ヒドロキシメチル）尿素
二亜硫酸二ナトリウム
ジナトリウムエチレンビス（ジチオカルバメート）（「ナバム」）
ジナトリウムオクタボレート四水和物
２，２’−ジチオビス［Ｎ−メチルベンズアミド］
フェンプロピモルフ、ｃｉｓ−４−［３−（ｐ−ｔ−ブチルフェニル）−２−メチルプロピル］−２，６−ジメチルモルホリン
フルオメツロン；１，１−ジメチル−３−（３−トリフルオロメチルフェニル）尿素
ホウ酸
ホルムアルデヒド
ホルムアルデヒドデポアルファ、１，３−ビス（ヒドロキシメチル）尿素、２−（２−ブトキシエトキシ）エタノール、エチレングリコール及びホルムアルデヒドとの反応生成物
５−ヒドロキシメトキシメチル−１−アザ−３，７−ジオキサビシクロ［３．３．０］オクタン（１６．０％）／５−ヒドロキシメチル−１−アザ−３，７−ジオキサビシクロ［３．３．０］オクタン（２８．８％）／５−ヒドロキシ−ポリ（メチレンオキシ）メチル−１−アザ−３，７−ジオキサビシクロ［３．３．０］オクタン（５．２％）／水（５０％）混合物
２−（ヒドロキシメチル）−２−ニトロプロパン−１，３−ジオール（ニトロメチリデントリメタノール、「トリスニトロ」）
１−ヒドロキシ−２（１Ｈ）−ピリジノン（ヒドロキシ−２−ピリドン）
イマザリル、１−［（２−アリルオキシ）−２−（２，４−ジクロロフェニル）エチル］−１Ｈ−イミダゾール
工業等級イマザリル、（＋／−）−１−［２−（β−アリルオキシ）−２−（２，４−ジクロロフェニルエチル］−１Ｈ−イミダゾール
３−（４−イソプロピルフェニル）−１，１−ジメチル尿素（「イソプロツロン」）
カリウム２−ビフェノキシド（カリウムｏ−フェニルフェノキシド）
カリウムジメチルジチオカルバメート
亜硫酸カリウム
リグニン
メタム−ナトリウム、ナトリウムメチルジチオカルバメート
２−（メトキシカルボニルアミノ）ベンズイミダゾール（メチルベンズイミダゾール−２−イルカルバメート、「カルベンダジム」）
２，２’−メチレンビス（４−クロロフェノール）フェノール（「ジクロロフェン」）
メチレンジチオシアネート
Ｌ（＋）−乳酸
ナバ（ｎａｂａ）、ジナトリウムエチレンビス（ジチオカルバメート）
ナトリウム２−ビフェノキシド（ナトリウムｏ−フェニルフェノキシド）
臭化ナトリウム
ナトリウムｐ−クロロ−ｍ−クレソキシド
ナトリウムジメチルジチオカルバメート
ナトリウム水素−２，２’−メチレンビス［４−クロロフェノキシド］
亜硫酸水素ナトリウム
ナトリウムメチルジチオカルバメート（「メタム−ナトリウム」）
ナトリウムｏ−フェニルフェノキシド、ナトリウム２−ビフェノキシド
亜硫酸ナトリウム
ニトロメチリデントリメタノール、２−（ヒドロキシメチル）−２−ニトロ−１，３−プロパンジオール
オリゴ（２−（２−エトキシ）エトキシエチルグアニジウムクロリド）
１−フェノキシ−２−プロパノール／２−フェノキシプロパノール混合物
フタルアルデヒド
ポリ（ヘキサメチレンジアミングアニジニウムクロリド）
ポリ（オキシ−１，２−エタンジイル）−ａ−［２−（ジデシルメチルアンモニウム）エチル］−ｗ−ヒドロキシプロパノエート（「Ｂａｒｄａｐ２６」）
プロメトリン、Ｎ２，Ｎ４−ジイソプロピル−６−メチルチオ−１，３，５−トリアジン−２，４−ジアミン
２−プロパンジオール、ホウ酸、Ｎ−デシル−１−デカンアミン及びエチレンオキシド（オキシラン）との重合体；Ｎ−ジデシル−Ｎ−ジポリエトキシアンモニウムボレート／ジデシルポリオキシエチルアンモニウムボレート参照
２−プロペナルプロパン−１，２−ジオール共重合体
プロピコナゾール、１−［［２−（２，４−ジクロロフェニル）−４−プロピル−１，３−ジオキソラン−２−イル］メチル］１Ｈ−１，２，４−トリアゾール
ピリジン−２−チオール１−オキシド、亜鉛塩（「亜鉛ピリチオン」、「ピリチオン−亜鉛」）
二酸化硫黄
塩化銀
ＴＣＭＴＢ、（ベンゾチアゾール−２−イルチオ）メチルチオシアネート
Ｎ，Ｎ，Ｎ’，Ｎ’−テトラメチルエチレンジアミン−ビス（２−クロロエチル）エーテル共重合体（Ｎ，Ｎ，Ｎ’，Ｎ’−テトラメチル−１，２−エタンジアミン、１，１’−オキシビス（２−クロロエタン）との重合体）
２−（チアゾール−４−イル）ベンズイミダゾール（「チアベンダゾール」）
トリスニトロ、２−（ヒドロキシメチル）−２−ニトロプロパン−１，３−ジオール
亜鉛ピリチオン、ピリジン−２−チオール１−オキシド亜鉛塩。
【００４３】
本発明の好ましい実施形態は、ホウ酸、１，２−ベンズイソチアゾール−３−（２Ｈ）−オン（ＢＩＴ）、３（２Ｈ）−イソチアゾロン、２−メチルメタノール［１，２−エタンジイルビス（オキシ）ビス（グリオキサールモノエチレンアセタール）］、ナトリウム２−ピリジンチオン−１−オキシド（ナトリウムピリチオン）、１，３，５−トリアジン−１，３，５（２Ｈ，４Ｈ，６Ｈ）−トリエタノール、モルホリン、４，４’−メチレンビス（１Ｈ，３Ｈ，５Ｈ）オキサゾロ［３，４−ｃ］オキサゾール、５−エチル−３，７−ジオキサ−１−アザビシクロ−［３．３．０］オクタン、３−ヨード−２−プロピニルブチルカルバメート（ＩＰＢＣ）よりなる群から選択される１種以上の殺生物剤を含有する組成物である。
【００４４】
組成物中における１種以上の殺生物剤の濃度は、好ましくは、すぐに使用できる組成物に基づいて、例えば金属加工流体に基づいて０．００１％〜５．０質量％である。
【００４５】
該組成物は、本発明に従って腐食抑制剤として使用される式（Ｉ）のＮ−メチル−Ｎ−アシルグルカミンの他に、追加の腐食抑制剤、例えば有機酸及びそれらの塩、特にアルカリ金属石鹸、スルホネート、アミン、それらの無水物及び塩、安息香酸誘導体及びホウ素化合物を含むことができる。
【００４６】
該組成物は、１種以上の追加の腐食抑制剤を、すぐに使用できる組成物に基づいて、例えば金属加工流体に基づいて０質量％〜１０質量％の量で含有することができる。
【００４７】
好ましくは、組成物は、ＡＷ添加剤と呼ばれる摩耗減少剤を含み、これらは、吸着及び化学吸着プロセスによって金属表面に結合し、金属摩耗を防止する。ＡＷ添加剤は、亜鉛及びリン化合物、好ましくは、ジチオリン酸亜鉛、ジアルキルジチオリン酸亜鉛、リン酸トリクレシル、塩素化パラフィン、グリセロールモノオレエート、脂肪酸及びそれらの塩、好ましくは、ステアリン酸、亜リン酸水素ジアルキル、例えばＤｕｒａｐｈｏｓ（登録商標）ＡＰ２３０として市販されている亜リン酸水素ジラウリル、亜リン酸トリアルキル、例えばＤｕｒａｐｈｏｓ（登録商標）ＴＬＰとして市販されている亜リン酸トリラウリルである。
【００４８】
高圧での使用について、ＡＷ添加剤は有効ではなく、極圧添加剤（ＥＰ添加剤）の使用を必要とする。
【００４９】
使用されるＥＰ添加剤は、通常、硫黄及びリン化合物である。問題の塩素化合物は、あるとすれば使用中にかろうじて残っている。硫黄含有添加剤は、鉄材料の場合には、吸着及び化学吸着の前後に金属表面に硫化鉄層を形成する。
【００５０】
好適な例は、ジスルフィド（不活性硫黄キャリア−無臭）、ポリスルフィド、硫化オレフィン、硫化脂肪酸エステル及びリン酸エステル、スルホン化オレフィン、亜鉛ジフェニルスルフィド、トリクロロステアリン酸メチル、塩素化ナフタレン、フルオロアルキルポリシロキサン、中和又は部分中和ホスフェート及びジチオホスフェートである。
【００５１】
該組成物は、１種以上のＥＰ添加剤を、すぐに使用できる組成物に基づいて、例えば金属加工流体に基づいて０質量％〜１質量％、好ましくは０．０００５質量％〜０．５質量％、より好ましくは０．００５質量％〜０．０５質量％の量で含むことができる。
【００５２】
さらに、該組成物は、消泡剤、例えばシリコーン、特にジメチルシリコーン重合体、並びにケイ酸エステル及びメタクリル酸アルキルを含むことができる。
【００５３】
寿命を改善するために、該組成物は、酸化防止剤、例えばフェノール誘導体、例えば４，４’−メチレンビス（２，６−ジ−ｔ−ブチルフェノール）、４，４’−ビス（２，６−ジ−ｔ−ブチルフェノール）、４，４’−ビス（２−メチル−６−ｔ−ブチルフェノール）、２，２’−メチレンビス（４−メチル−６−ｔ−ブチルフェノール）、４，４’−ブチリデンビス（３−メチル−６−ｔ−ブチルフェノール）、４，４’−イソプロピリデンビス（２，６−ジ−ｔ−ブチルフェノール）、２，２’−メチレンビス（４−メチル−６−ノニルフェノール）、２，２’−イソブチリデンビス（４，６−ジメチルフェノール）、２，２’−５−メチレンビス（４−メチル−６−シクロヘキシルフェノール）、２，６−ジ−ｔ−ブチル−４−メチルフェノール、２，６−ジ−ｔ−ブチル−４−エチルフェノール、２，４−ジメチル−６−ｔ−ブチルフェノール、２，６−ジ−ｔ−１−ジメチルアミノ−ｐ−クレゾール、２，６−ジ−ｔ−４−（Ｎ，Ｎ’−ジメチルアミノメチルフェノール）、４，４’−チオビス（２−メチル−６−ｔ−ブチルフェノール）、２，２’−チオビス（４−メチル−６−ｔ−ブチルフェノール）、ビス（３−メチル−４−ヒドロキシ−５−ｔ−１０−ブチルベンジル）スルフィド及びビス（３，５−ジ−ｔ−ブチル−４−ヒドロキシベンジル）、ジフェニルアミン誘導体、例えばアルキル化ジフェニルアミン、フェニル−α−ナフチルアミン及びアルキル化α−ナフチルアミンを含むことができる。同様に好適なのは、金属ジチオカルバメート、特に亜鉛ジチオカルバメート及び１５−メチレンビス（ジブチルジチオカルバメート）である。
【００５４】
該組成物は、１種以上の酸化防止剤を、すぐに使用できる組成物に基づいて、例えば金属加工流体に基づいて０質量％〜１質量％、好ましくは０．０００５質量％〜０．５質量％、より好ましくは０．００５質量％〜０．０５質量％の量で含むことができる。
【００５５】
組成物は、使用される乳化剤の乳化作用を高めるカップリング剤と呼ばれるものを含むことができる。スルホネート、特にリグノスルホネート、石油スルホネート、ドデシルベンジルスルホネートナトリウム塩及びスルフェート、例えばラウリル硫酸ナトリウム塩が好ましい。
【００５６】
該組成物は、１種以上のカップリング剤を、すぐに使用できる組成物に基づいて、例えば金属加工流体に基づいて０質量％〜１０質量％、好ましくは０．００５質量％〜５質量％、より好ましくは０．５質量％〜３質量％の量で含むことができる。
【００５７】
該組成物は、アルカリ金属又はアルカリ土類金属塩、例えば炭酸ナトリウム、炭酸水素ナトリウム又は炭酸カルシウをさらに含むことができる。
【００５８】
該組成物は、１種以上のアルカリ金属又はアルカリ土類金属塩を、すぐに使用できる組成物に基づいて、例えば金属加工流体に基づいて０質量％〜５質量％、好ましくは０．００５質量％〜１質量％、より好ましくは０．０５質量％〜０．８質量％の量で含むことができる。
【００５９】
該組成物は、可溶化剤、例えばアルコール、グリコール、特にブチルジグリコール、プロピレングリコール、グリセロール又はクメンスルホン酸ナトリウムを、すぐに使用できる組成物に基づいて、例えば金属加工流体に基づいて０質量％〜６質量％、好ましくは０．０５質量％〜５質量％、より好ましくは０．５質量％〜４質量％の量で含むことができる。
【００６０】
本発明の組成物のｐＨは、７〜１２、好ましくは８〜１１の範囲内にあるべきである。
【００６１】
（ａ）〜（ｄ）を含む上記組成物を「パフォーマンスパッケージング」として提供することができる。
【００６２】
金属処理及び金属加工流体の製造について、一実施形態では、上記組成物と１種以上の油との完成混合物に基づいて、「パフォーマンスパッケージング」の５％〜４０質量％、好ましくは１０％〜３０質量％、より好ましくは１５％〜２５質量％を、６０％〜９５質量％、好ましくは７０％〜９０質量％、より好ましくは７５％〜８５質量％の量の１種以上の油と混合させる。このようにして得られた混合物は、当業者によってエマルジョン濃縮物と呼ばれている。これらのエマルジョン濃縮物は、使用者によって好ましくは１０〜５０部の水に対して１部のエマルジョン濃縮物の体積比で希釈され、かつ、例えば金属処理及び金属加工流体として使用される。
【００６３】
エマルジョン濃縮物の自己乳化性のため、すぐに使用できるエマルジョン、例えば金属処理及び金属加工流体が、水と混合されたときに、自発的に又はわずかな機械的なかき混ぜ後、例えば撹拌後に形成する。このエマルションは、例えば、金属加工の際の洗浄、防食又は冷却潤滑剤エマルションとして使用できる。
【００６４】
したがって、本発明は、成分（ａ）〜（ｃ）又は（ａ）〜（ｄ）から構成される組成物の、成分（ａ）〜（ｃ）又は（ａ）〜（ｄ）から構成される本発明の組成物の５％〜４０質量％、好ましくは１０％〜３０質量％、より好ましくは１５％〜２５質量％と、成分（ａ）〜（ｃ）又は（ａ）〜（ｄ）の本発明の組成物及び１種以上の油を含む総量に基づいて６０％〜９５質量％、好ましくは７０％〜９０質量％、より好ましくは７５％〜８５質量％の量の１種以上の油とを混合させることによってエマルジョン濃縮物を製造するための使用をさらに提供する。
【００６５】
同様に好ましい実施態様では、成分（ａ）〜（ｃ）又は（ａ）〜（ｄ）を含む上記本発明の組成物（パフォーマンスパッケージング）の４０％〜７０質量％、好ましくは４５％〜６０質量％、より好ましくは５０質量％〜５５質量％を、上記組成物と１種以上の油との完成混合物に基づいて３０％〜６０質量％、好ましくは４０％〜５５質量％、より好ましくは４５％〜５０質量％の量の１種以上の油と混合させる。
【００６６】
１種以上の油として有用な油としては、鉱油、特に４０℃で測定された５〜１０００、好ましくは１０〜１００、特に好ましくは５〜５０ｍｍ２／ｓの動粘度を有する鉱油、パラフィン、イソパラフィン、シクロパラフィン（ナフテン、飽和環状炭化水素）、芳香族炭化水素、合成油、例えばポリα−オレフィン、ポリアルキレングリコール（ＰＡＧ）及びエステル油が挙げられる。
【００６７】
好ましいエステル油は、
・一価アルコールのエステル、
例えばラウリン酸ｎ−ブチル、パルミチン酸／ステアリン酸ｎ−ブチル、パルミチン酸／ステアリン酸ｎ−ブチル、ｉ−ノナン酸セチルステアリル、オレイン酸デシル、２−エチルヘキシルヤシ脂肪酸エステル、オレイン酸２−エチルヘキシル、パルミチン酸／ステアリン酸２−エチルヘキシル、２−エチルヘキシル獣脂脂肪酸エステル、パルミチン酸／ステアリン酸２−ヘキシルデシル、ラウリン酸ｎ−ヘキシル、オレイン酸ｉ−ブチル、パルミチン酸／ステアリン酸ｉ−ブチル、ｉ−ブチル獣脂脂肪酸エステル、ｉ−ブチル混合脂肪酸エステル、パルミチン酸／ステアリン酸ｉ−ノニル、ミリスチン酸ｉ−プロピル、パルミチン酸ｉ−プロピル、パルミチン酸／ステアリン酸ｉ−プロピル、パルミチン酸／ステアリン酸ｉ−トリデシル、ヤシ脂肪アルコールパルミテート／ステアレート、カプリン酸ｎ−オクチル、エルカ酸オレイル、オレイン酸オレイル、パルミチン酸／ステアリン酸セチルステアリル、ベヘン酸セチルステアリル、
・グリセロールエステル、
例えばグリセロールジオレエート、グリセロールジパルミテート／−ステアレート、グリセロールジエステル、グリセロールモノベヘネート、グリセロールモノミリステート、グリセロールモノオレエート、グリセロールモノリシノレエート、グリセロールモノ獣脂脂肪酸エステル、グリセロールトリ脂肪酸エステル、グリセロールトリヒドロステアレート、グリセロールトリオレエート、グリセロールトリステアレート、
・ポリオールエステル、
例えばペンタエリトリトールテトラカプリネート／−カプリレート、ペンタエリトリトールジオレエート、ペンタエリトリトールテトラオレエート、ペンタエリトリトールパルミテート／ステアレート、ポリオールカプリネート／カプリレート、トリメチロールプロパントリ脂肪酸エステル、
・グリコールエステル、
例えばエチレングリコールモノパルミテート／−ステアレート、エチレングリコールジパルミテート／−ステアレート、ポリグリコールエステル、ポリグリコールオレエート、プロピレングリコールカプリネート／カプリレート、プロピレングリコールオレエート、トリエチレングリコールジパルミテート／−ステアレート、トリエチレングリコールジカプリネート／−カプリレート、
・ジカルボン酸エステル、
例えばアジピン酸ジ−ｎ−ブチル、セバシン酸ジ−ｎ−ブチル、セバシン酸ジ−ｎ−エチルヘキシル、アジピン酸ジオクチル、フタル酸ジセチルステアリル、フタル酸オレイルステアリル、
・ポリオール部分エステル、
例えばプロピレングリコールカプリネート／カプリレート、プロピレングリコールオレエート、トリエチレングリコールジパルミテート／−ステアレート、トリエチレングリコールジカプリネート／−カプリレート
である。
【実施例】
【００６８】
例
特に明記しない限り、全てのパーセンテージは、質量パーセント（質量％）を意味すると理解すべきである。
【００６９】
トール油脂肪酸（ＴＯＦＡ）、ヤシ脂肪酸（ＣＣ）及びモノ−又はジ−又はトリエタノールアミンの存在下でＮ−メチル−Ｎ−Ｃ１２−アシルグルカミンとＮ−メチル−Ｎ−Ｃ１４−アシルグルカミンとの混合物（Ｇｌｕ１）及びＮ−メチル−Ｎ−Ｃ１６−アシルグルカミンとＮ−メチル−Ｎ−Ｃ１８−アシルグルカミンとの混合物（Ｇｌｕ２）が鉄に及ぼす腐食抑制効果の決定。
【００７０】
腐食防止試験を、ＤＩＮ５１３６０−２に従って実施し、その際に、円形フィルター上の灰色の鉄研削屑（ＧＧ２５型）を、それぞれの場合において表１に係る試験配合物１〜９を２０のドイツ硬度（２０°ｄＨ）を有する水に溶解してなる２％溶液でそれぞれ２時間にわたって湿らせ、そしてろ紙上に形成された腐食残渣を評価した。
【００７１】
腐食を、ＤＩＮ５１  ３６０−２に従って次のように評価する：
０腐食なし／変化なし
１腐食の痕跡／３個以下の腐食痕
２わずかな腐食／表面の１％以下が変色
３中程度の腐食／表面の５％以下が変色
４激しい腐食／表面の５％超が変色。
【００７２】
【表１】
2017510707.tif 000007
【００７３】
トール油脂肪酸及びモノ−又はジ−又はトリエタノールアミンの存在下でのアルミニウムに及ぼす腐食抑制作用（Ｇｌｕ２）の決定。
【００７４】
腐食保護試験を、ＥＥＨ１０２０−ＡＡ−１０４９に従ってアルミニウム合金のＡｌＺｎＭｇＣｕ１．５及びＡｌＭｇＳｉ１により実施する。表１からの２％試験配合物を、それぞれ２０のドイツ硬度（２０°ｄＨ）を有する水で調製し、上記合金の試験片を４０℃の溶液中に半分浸し、そしてそこで２４時間静置した。その後、試験片を溶液から引き出し、脱イオン水ですすぎ、次いでアセトンですすぎ、そして乾燥させる。試験片の溶液に浸漬された部分（溶液）と露出部分（雰囲気）の両方をＤＩＮ５１  ３６０について上述した基準に従って評価する。
【００７５】
【表２】
2017510707.tif 000008
【００７６】
結果を表３にまとめる。
【００７７】
【表３】
2017510707.tif 000009
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
次のものを含む組成物を５質量％〜４０質量％含み：
（ａ）次式（Ｉ）の少なくとも１種のＮ−メチル−Ｎ−アシルグルカミン：
【化１】
2017510707.tif 000012
（式中、Ｒ１は、７〜２１個の炭素原子を有する直鎖又は分岐飽和又は不飽和ヒドロカルビル鎖である。）、
（ｂ）次式（ＩＩ）の１種以上の有機酸又はその塩：
Ｒ２-ＣＯＯＭ      （ＩＩ）
（式中、Ｒ２は、５〜２９個の炭素原子を有する直鎖若しくは分岐アルキル基又は直鎖若しくは分岐一不飽和若しくは多不飽和アルケニル基であり、
Ｍは、水素又は１種以上の陽イオンであり、ここで、該陽イオンは電荷平衡量で存在する。）、及び
（ｃ）次式（ＩＩＩ）の１種以上のアルカノールアミン：
ＮＲ１Ｒ２Ｒ３        （ＩＩＩ）
（式中、Ｒ１、Ｒ２及びＲ３は、水素、１〜４個の炭素原子を有する直鎖若しくは分岐アルキル基、５〜７個の炭素原子を有するシクロアルキル基、２〜５個の炭素原子及び１若しくは２個のヒドロキシル基を有する直鎖若しくは分岐ヒドロキシアルキル基、又は２〜６個の炭素原子を有するヒドロキシエーテル基であるが、ただし、これらの基の少なくとも一つは、ヒドロキシアルキル基又はヒドロキシエーテル基であるものとする。）、
ならびに、
１種以上の油を６０質量％〜９５質量％含むエマルジョン濃縮物。
【請求項２】
Ｒ１が１１〜１７個の炭素原子を有する直鎖又は分岐飽和又は不飽和ヒドロカルビル鎖である式（Ｉ）の少なくとも１種のＮ−メチル−Ｎ−アシルグルカミンを含む、請求項１に記載のエマルジョン濃縮物。
【請求項３】
前記式（Ｉ）の化合物がＮ−メチル−Ｎ−Ｃ１２−アシルグルカミンとＮ−メチル−Ｎ−Ｃ１４−アシルグルカミンとの混合物である、請求項１に記載のエマルジョン濃縮物。
【請求項４】
前記式（Ｉ）の化合物がＮ−メチル−Ｎ−Ｃ１６−アシルグルカミンとＮ−メチル−Ｎ−Ｃ１８−アシルグルカミンとの混合物である、請求項１に記載のエマルジョン濃縮物。
【請求項５】
Ｒ２が７〜２１個の炭素原子を有する前記式（ＩＩ）の１種以上の有機酸又はその塩を含む、請求項１〜４のいずれかに記載のエマルジョン濃縮物。
【請求項６】
Ｒ２が１１〜１７個の炭素原子を有する前記式（ＩＩ）の１種以上の有機酸又はその塩を含む、請求項５に記載のエマルジョン濃縮物。
【請求項７】
成分（ｂ）としてトール油脂肪酸、菜種油脂肪酸及び／又は大豆油脂肪酸又はそれらの塩を含む、請求項１〜４のいずれかに記載のエマルジョン濃縮物。
【請求項８】
成分（ｃ）を構成する前記アルカノールアミンがモノエタノールアミン、ジエタノールアミン、トリエタノールアミン、ジグリコールアミン、モノイソプロパノールアミン及び２−アミノ−２−メチル−１−プロパノールよりなる群から選択される、請求項１〜７のいずれかに記載のエマルジョン濃縮物。
【請求項９】
（ａ）前記式（Ｉ）の１種以上のメチルグルカミン１質量％〜５０質量％、
（ｂ）前記式（ＩＩ）の少なくとも１種の有機酸又はその塩０．１質量％〜２３質量％及び
（ｃ）前記式（ＩＩＩ）の少なくとも１種のアルカノールアミン０．０５質量％〜４２質量％
を含有する、請求項１〜８のいずれかに記載のエマルジョン濃縮物。
【請求項１０】
追加成分（ｄ）として、１種以上の乳化剤、１種以上の殺生物剤、１種以上の追加の腐食抑制剤、１種以上のＡＷ添加剤、１種以上のＥＰ添加剤、１種以上の消泡剤、１種以上の酸化防止剤、１種以上のカップリング剤、１種以上のアルカリ金属又はアルカリ土類金属、１種以上の可溶化剤、１種以上のｐＨ調整剤及び水から選択される１種以上の成分を含む、請求項１〜９のいずれかに記載のエマルジョン濃縮物。
【請求項１１】
１種以上の陰イオン性、非イオン性、陽イオン性又は両性乳化剤を、成分（ａ）〜（ｄ）からなる組成物に基づいて０．５％〜５０質量％の量で含む、請求項１〜１０のいずれかに記載のエマルジョン濃縮物。
【請求項１２】
ホウ酸、１，２−ベンズイソチアゾール−３−（２Ｈ）−オン（ＢＩＴ）、３（２Ｈ）−イソチアゾロン、２−メチルメタノール［１，２−エタンジイルビス（オキシ）ビス（グリオキサールモノエチレンアセタール）］、ナトリウム２−ピリジンチオン−１−オキシド（ナトリウムピリチオン）、１，３，５−トリアジン−１，３，５（２Ｈ，４Ｈ，６Ｈ）−トリエタノール、モルホリン、４，４’−メチレンビス（１Ｈ，３Ｈ，５Ｈ）オキサゾロ［３，４−ｃ］オキサゾール、５−エチル−３，７−ジオキサ−１−アザビシクロ［３．３．０］オクタン、３−ヨード−２−プロピニルブチルカルバメート（ＩＰＢＣ）よりなる群から選択される１種以上の殺生物剤を０．００１質量％〜５質量％含む、請求項１〜１１のいずれかに記載のエマルジョン濃縮物。
【請求項１３】
ＭがＬｉ＋、Ｎａ＋、Ｋ＋、Ｍｇ＋＋、Ｃａ＋＋、Ａｌ＋＋＋、ＮＨ４＋、モノアルキルアンモニウム、ジアルキルアンモニウム、トリアルキルアンモニウム及び／又はテトラアルキルアンモニウムイオンから選択され、これらのアンモニウムイオンのアルキル置換基がそれぞれ独立に（Ｃ１〜Ｃ２２）アルキル基である、請求項１〜１２のいずれかに記載のエマルジョン濃縮物。
【請求項１４】
前記アルキル置換基が３個までの（Ｃ２〜Ｃ１０）ヒドロキシアルキル基を有する、請求項１３に記載のエマルジョン濃縮物。
【請求項１５】
Ｒ１がアルキル又はアルケニル基である、請求項１〜１４のいずれかに記載のエマルジョン濃縮物。
【請求項１６】
ｐＨが７〜１２の間である、請求項１〜１５のいずれかに記載のエマルジョン濃縮物。
【請求項１７】
前記油が４０℃で測定された５〜１０００ｍｍ２／ｓの動粘度を有する鉱油、パラフィン、イソパラフィン、シクロパラフィン、芳香族炭化水素、ポリα−オレフィン、ポリアルキレングリコール（ＰＡＧ）及びエステル油から選択される、請求項１〜１６のいずれかに記載のエマルジョン濃縮物。
【国際調査報告】
2017510707.tif 000013
2017510707.tif 000014
2017510707.tif 000015
2017510707.tif 000016